(57)【要約】 【課題】  電線カバーがハウジングに対してガタ付きを生じるのを防止する。【解決手段】  ハウジング１０には、電線カバー５０の組付け方向と略同方向に延びるとともに、ロック部２４の形成されている外側面と略直角な受け面１７が形成されている。電線カバー５０には、ハウジング１０への組付け方向と略同方向に延びるとともに、受け面１７に対して面接触状態で当接可能な当接面５８が形成されている。電線カバー５０をハウジング１０に組み付けてロックした状態では、受け面１７と当接面５８とが面接触状態で当接することにより、電線カバー５０がハウジング１０の組付け方向と直交する方向へ変位することが規制される。【選択図】  図８
2005347082.tif 000002
【特許請求の範囲】
【請求項１】
ハウジング内に後方から端子金具を挿入し、前記端子金具に接続された電線を前記ハウジングの後端面から外部へ導出させ、前記ハウジングの後端部に組み付けた電線カバーにより電線を覆うようになっているコネクタであって、
前記ハウジングの外側面にはロック部が形成され、
前記電線カバーには、前記ハウジングへの組付け過程では弾性撓みし、前記ハウジングに対して正規の組付け状態に至ると弾性復帰して前記ロック部に係止することで、前記電線カバーの前記ハウジングからの離脱を規制するロック片が形成されているものにおいて、
前記ハウジングには、前記電線カバーの組付け方向と略同方向に延びるとともに、前記ロック部の形成されている前記外側面と略直角な受け面が形成され、
前記電線カバーには、前記ハウジングへの組付け方向と略同方向に延びるとともに、前記受け面に対して面接触状態で当接可能な当接面が形成されていることを特徴とするコネクタ。
【請求項２】
前記ハウジングの外側面に、前記電線カバーの組付け方向と平行な型抜き空間が形成され、
前記型抜き空間内に、前記ハウジングに組み付けられて前記端子金具を抜止めするリテーナを組付け状態にロックするための係止部が形成されており、
前記受け面が前記型抜き空間内に形成され、
前記電線カバーに設けられたリブに前記当接面が形成されていることを特徴とする請求項１記載のコネクタ。
【請求項３】
前記電線カバーには、前記ハウジングに対する組付け方向と同方向に突出するガイド部が形成され、
前記ハウジングには、前記ロック片の弾性撓み方向と交差するとともに、前記電線カバーの組付け過程で前記ガイド部を摺接させる摺接面が形成されていることを特徴とする請求項１又は請求項２記載のコネクタ。
【請求項４】
前記ハウジングには、前記電線カバーの組付け方向と平行であり、前記ロック片の弾性撓み方向と交差する方向に延びる壁部が形成されており、
前記電線カバーには、前記当接面を有するとともに前記ハウジングに対する組付け方向と平行なリブと、前記ハウジングに対する組付け方向と同方向に突出するガイド部とが形成されており、
前記電線カバーが前記ハウジングに組み付けられる過程では、前記ガイド部が前記壁部の内面に摺接することで前記電線カバーの前記ロック片の弾性撓み方向と略同方向に変位することが規制され、
前記電線カバーが前記ハウジングに組み付けられた状態では、前記壁部に対して前記ガイド部が内面側から当接するとともに前記リブが外面側から当接する構成としたことを特徴とする請求項１ないし請求項３のいずれかに記載のコネクタ。
【請求項５】
前記ハウジングには弾性撓み可能なロックアームが形成されており、前記ロックアームにはそのロックアームをロック解除方向へ弾性撓みさせるための操作部が形成されており、
前記ガイド部が、前記操作部を両側から挟むように一対設けられ、
ロック解除操作時に前記操作部が前記一対のガイド部によって案内される構成としたことを特徴とする請求項３又は請求項４に記載のコネクタ。
【発明の詳細な説明】
【技術分野】
【０００１】
本発明は、電線カバーを備えたコネクタに関するものである。
【背景技術】
【０００２】
従来、電線カバーを備えたコネクタとして、特許文献１に記載されているものがある。これは、ハウジング内に後方から端子金具を挿入し、端子金具に接続された電線をハウジングの後端面から外部へ導出するとともに、ハウジングの後端部に組み付けた電線カバーにより電線を所定の向きに曲げて配索する構造となっている。
【０００３】
また、このコネクタには、電線カバーをハウジングに組み付けた状態にロックする手段が設けられている。即ち、ハウジングにはロック部が形成され、電線カバーには、ハウジングに対する組付け方向と同方向へ片持ち状に延出するとともにロック孔が開口されたロック片が形成されており、電線カバーを組み付ける過程ではロック片が斜め姿勢に変位しつつ弾性撓みし、電線カバーが正規の組付け状態に至ると、ロック片が弾性復帰してロック孔がロック部に係止し、もって、電線カバーがハウジングに対して離脱規制された状態に保持される。
【特許文献１】特開平１１−１６２５６８号公報
【発明の開示】
【発明が解決しようとする課題】
【０００４】
上記のように弾性撓みするロック片を用いて電線カバーを組付け状態にロックする形態のものでは、ロック孔とロック部との間に、両者の係止動作を円滑に行わせるためのクリアランスが設けられているため、電線カバーがハウジングに対してガタ付きを生じることが懸念される。
【０００５】
本発明は上記のような事情に基づいて完成されたものであって、電線カバーがハウジングに対してガタ付きを生じるのを防止することを目的とする。
【課題を解決するための手段】
【０００６】
上記の目的を達成するための手段として、請求項１の発明は、ハウジング内に後方から端子金具を挿入し、前記端子金具に接続された電線を前記ハウジングの後端面から外部へ導出させ、前記ハウジングの後端部に組み付けた電線カバーにより電線を覆うようになっているコネクタであって、
前記ハウジングの外側面にはロック部が形成され、
前記電線カバーには、前記ハウジングへの組付け過程では弾性撓みし、前記ハウジングに対して正規の組付け状態に至ると弾性復帰して前記ロック部に係止することで、前記電線カバーの前記ハウジングからの離脱を規制するロック片が形成されているものにおいて、
前記ハウジングには、前記電線カバーの組付け方向と略同方向に延びるとともに、前記ロック部の形成されている前記外側面と略直角な受け面が形成され、
前記電線カバーには、前記ハウジングへの組付け方向と略同方向に延びるとともに、前記受け面に対して面接触状態で当接可能な当接面が形成されているところに特徴を有する。
【０００７】
請求項２の発明は、請求項１に記載のものにおいて、前記ハウジングの外側面に、前記電線カバーの組付け方向と平行な型抜き空間が形成され、
前記型抜き空間内に、前記ハウジングに組み付けられて前記端子金具を抜止めするリテーナを組付け状態にロックするための係止部が形成されており、
前記受け面が前記型抜き空間内に形成され、
前記電線カバーに設けられたリブに前記当接面が形成されているところに特徴を有する。
【０００８】
請求項３の発明は、請求項１または請求項２に記載のものにおいて、前記電線カバーには、前記ハウジングに対する組付け方向と同方向に突出するガイド部が形成され、
前記ハウジングには、前記ロック片の弾性撓み方向と交差するとともに、前記電線カバーの組付け過程で前記ガイド部を摺接させる摺接面が形成されているところに特徴を有する。
【０００９】
請求項４の発明は、請求項１ないし請求項３のいずれかに記載のものにおいて、前記ハウジングには、前記電線カバーの組付け方向と平行であり、前記ロック片の弾性撓み方向と交差する方向に延びる壁部が形成されており、
前記電線カバーには、前記当接面を有するとともに前記ハウジングに対する組付け方向と平行なリブと、前記ハウジングに対する組付け方向と同方向に突出するガイド部とが形成されており、
前記電線カバーが前記ハウジングに組み付けられる過程では、前記ガイド部が前記壁部の内面に摺接することで前記電線カバーの前記ロック片の弾性撓み方向と略同方向に変位することが規制され、
前記電線カバーが前記ハウジングに組み付けられた状態では、前記壁部に対して前記ガイド部が内面側から当接するとともに前記リブが外面側から当接する構成としたところに特徴を有する。
請求項５の発明は、請求項３又は請求項４の発明において、前記ハウジングには弾性撓み可能なロックアームが形成されており、前記ロックアームにはそのロックアームをロック解除方向へ弾性撓みさせるための操作部が形成されており、前記ガイド部が、前記操作部を両側から挟むように一対設けられ、ロック解除操作時に前記操作部が前記一対のガイド部によって案内される構成としたところに特徴を有する。
【発明の効果】
【００１０】
＜請求項１の発明＞
電線カバーをハウジングに組み付けてロックした状態では、受け面と当接面とが面接触状態で当接することにより、電線カバーがハウジングへの組付け方向と直交する方向へ変位することが規制される。
【００１１】
＜請求項２の発明＞
電線カバーをハウジングに組み付けて、電線カバーの当接面がハウジングの受け面に当接する状態では、電線カバーのリブがハウジングの型抜き空間内に嵌合する。つまり、型抜き空間が電線カバーのリブを嵌合させるスペースとして兼用されているので、コネクタの小型化を図ることができる。
【００１２】
＜請求項３の発明＞
電線カバーを組み付ける過程では、ガイド部が摺接面に摺接することにより、電線カバーがハウジングに対してロック片の弾性撓み方向と略同方向に変位することが規制される。これにより、ロック片の弾性撓み動作が安定して行われ、電線カバーの組付け作業性が向上する。
【００１３】
＜請求項４の発明＞
電線カバーがハウジングに組み付けられた状態では、リブとガイド部が壁部を挟むことにより、電線カバーのロック片の弾性撓み方向と略同方向への変位が確実に規制される。電線カバーの変位を規制する手段として、電線カバーのガタ付きを規制する手段であるリブと、電線カバーの組付け時のロック片の弾性撓み動作を安定化させる手段であるガイド部とを利用しているので、変位規制のための専用手段を設けたものに比べて、形状の簡素化と小型化を図ることができる。
＜請求項５の発明＞
ロック解除操作時には、操作部が一対のガイド部に挟まれることによって案内されるので、操作部は所定の経路に沿って確実に変位することになり、ロック解除操作を安定して行うことができる。
【発明を実施するための最良の形態】
【００１４】
＜実施形態１＞
以下、本発明を具体化した実施形態１を図１乃至図１６を参照して説明する。本実施形態のコネクタは、合成樹脂製のハウジング１０と、合成樹脂製のリテーナ４０と、合成樹脂製の電線カバー５０と、電線４６の端末部に接続された端子金具４５とを備えて構成されている。
【００１５】
ハウジング１０の内部には、左右方向に並列する複数のキャビティ１１が形成され、各キャビティ１１内には後方から端子金具４５が挿入され、ランス１２により抜止めされている。ハウジング１０の水平な上面には、図示しない相手側コネクタと嵌合した状態にロックするためのロックアーム１３が形成されている。ロックアーム１３は後方へ片持ち状に延出した形態であって、その後端の操作部１３Ａを下方へ押し操作すると、ロックアーム１３が相手側コネクタから解離するように下方へ弾性撓みさせられるようになっている。また、ハウジング１０の上面における左右両側縁からは、ロックアーム１３を保護するための左右一対の壁部１４が、ハウジング１０の左右両外側面と面一状に且つハウジング１０の上面と直角に立ち上がるように形成されている。この一対の左右壁部１４は、ロックアーム１３の操作部１３Ａを左右両側から挟むように位置する。また、壁部１４の内側面における後端部分は、後述するガイド部５３を摺接させるための摺接面１５となっている。
【００１６】
ハウジング１０の左右両外側面には、ハウジング１０を金型成形する際に金型が後方へ型開きされるのに伴なって形成される型抜き空間１６が形成されている。型抜き空間１６は、ハウジング１０の外側面を浅く凹ませるとともに、ハウジング１０の後端に開放された形態であって、型抜き空間１６の後端部における上下両面は、前後方向（＝ハウジング１０に対する電線カバー５０の組付け方向と平行な方向）に延びた受け面１７となっている。上側の受け面１７はハウジング１０の上面よりも高い位置に形成され、下側の上面はハウジング１０の上面よりも低い位置に形成されている。
【００１７】
型抜き空間１６の外側面、即ちハウジング１０の外側面に対して平行に且つ段差状に凹んだ面は、当て面１８となっている。尚、この当て面１８の上端部は上記した壁部１４の摺接面１５の下端部と同じ高さとなっている。また、当て面１８の前端位置には、リテーナ４０をハウジング１０に組み付けるための本係止突起１９（本発明の構成要件である係止部）が突出形成されている。
【００１８】
壁部１４の後端部は、ハウジング１０の後端面（電線４６が導出される面）よりも後方へ突出しており、この壁部１４の後端部の下面は、ハウジング１０の上面とほぼ同じ高さであって水平な押さえ面２０となっている。また、壁部１４の外側面には、型抜き空間１６と連通するともに壁部１４の後端縁に開放された縦長の凹部２１が形成されており、この凹部２１の前端面は、上下方向（ハウジング１０に対する電線カバー５０の組み付け方向と略直角な方向）に延びるストッパ面２２となっている。
【００１９】
ハウジング１０の後端部には、その左右両外側面に対して面一状をなし、且つハウジング１０の後端面よりも後方へ延出する左右一対の延出部２３が形成されている。延出部２３の上面は型抜き空間１６の下側の受け面１７に対して面一状に連続している。この一対の延出部２３の外側面には、夫々、ロック部２４が突出して形成されている。ロック部２４の前面は、ハウジング１０に対する電線カバー５０の組付け方向と直角な係止面２５となっており、ロック部２４の後面は、電線カバー５０の組付け方向に対して傾斜した誘導面２６となっている。ロック部２４の上面は、延出部２３の上面及び下側の受け面１７に対して面一状をなしており、ロック部２４の上面と延出部２３の上面は、上記押さえ面２０よりも低い支承面２７となっている。
【００２０】
ハウジング１０の下面には、リテーナ４０を収容する手段として全てのキャビティ１１に連通する形態の収容空間２８が形成されている。また、ハウジング１０の左右両外側面には、型抜き空間１６の前端部及び中央部に連通するとともに、ハウジング１０の下端に開放された形態の係止空間２９が浅く凹ませた形態で形成されている。この係止空間２９の前端部には、本係止突起１９の少し下方の位置に仮係止突起３０が形成されている。
【００２１】
リテーナ４０は、左右方向に細長い本体部４１と、本体部４１の左右両端部に形成された一対の係止板４２とを有する。各係止板４２の内面には、夫々、係止爪４３が形成されている。リテーナ４０は、その係止板４２を係止空間２９及び型抜き空間１６に嵌合させた状態で、下方からハウジング１０に組み付けられるようになっており、係止爪４３を仮係止突起３０と本係止突起１９との間に係止させることで、ハウジング１０に対して仮係止位置に組み付けられる（図３、図４を参照）。この状態では、キャビティ１１に対する端子金具４５の挿入・抜取りが許容される。リテーナ４０が仮係止位置にある状態で端子金具４５を挿入した後、リテーナ４０を上方へ押し上げると、係止板４２が外側へ弾性撓みしつつ係止爪４３が本係止突起１９を乗り越え、リテーナ４０が本係止位置に達すると、係止爪４３が本係止突起１９に対して上から係止することで、リテーナ４０の下方への変位、即ちハウジング１０から離脱が規制される。リテーナ４０が本係止位置に組みつけられた状態では、本体部４１が端子金具４５に対して後方から係止することにより、端子金具４５が抜止め状態にロックされる。また、リテーナ４０が本係止された状態では、リテーナ４０の係止板４２は型抜き空間１６の前端部及び中央部に位置するが、型抜き空間１６の後端部には係止板４２だけでなく他の部材も存在しない。
【００２２】
電線カバー５０は、左右方向に長い背面板５１と、この背面板５１の左右両端部から前方へ突出する一対のロック片５２と、背面板５１の左右両端部におけるロック片５２よりも内側の位置から前方へ突出する一対のガイド部５３とを有している。背面板５１の前面における略下半分領域には、電線４６を１本ずつ位置決めするための上下方向の位置決め溝５４が左右に並列して形成されている。背面板５１の前面における略中央高さには、前方へ水平に突出するとともに両ロック片５２の内面間に亘って連続する棚部５５が形成されている。
【００２３】
ロック片５２は、ハウジング１０に対する電線カバー５０の組付け方向と平行であり、且つ、ハウジング１０の左右両外側面と平行な方形の平板状をなす。ロック片５２の上面と下面は、夫々、背面板５１の上面と下面に対して面一状につらなっている。ロック片５２は、背面板５１に連なる後端縁を支点として左右方向（ロック片５２の板厚方向であり、ハウジング１０に対する電線カバー５０の組付け方向と交差する方向）へ拡開するように弾性的に変形し得るようになっており、ロック片５２が弾性撓みした状態では、その板面がハウジング１０への組付け方向に対して斜め姿勢となる。かかるロック片５２には、ハウジング１０のロック部２４と対応するように左右方向（ロック片５２の板厚方向）貫通する略方形のロック孔５６が形成されている。
【００２４】
ロック片５２の内面には、前後方向（ハウジング１０に対する組付け方向と平行な方向）に延びるリブ５７が形成されている。リブ５７の上面と下面は、夫々、ハウジング１０に対する組付け方向と平行（水平）な当接面５８となっている。リブ５７は棚部５５よりも前方へ突出しており、リブ５７の前端部はロック片５２の前端縁よりも前方へ突出されている。リブ５７の下側の当接面５８は棚部５５の下面と面一状に連なっている。かかるリブ５７は、ロック片５２と一体となって撓むようになっている。ロック片５２の内面には、リブ５７の後端部から上方へ延出した形態の突当部５９が形成されており、この突当部５９の前端縁は、ハウジング１０に対する組付け方向と略直角な突当面６０となっている。
【００２５】
ガイド部５３は、リブ５７及び突当部５９の内面に対して上記したハウジング１０の壁部１４の板厚寸法と同じ寸法の間隔を空けて配置されている。ガイド部５３の板厚寸法（左右方向の寸法）は全域に亘って一定であり、その板面、即ちガイド部５３の背面板５１からの延出方向は、ハウジング１０に対する電線カバー５０の組付け方向と平行である。ガイド部５３は方形をなし、その下面は棚部５５の上面と同じ高さとされている。また、前後方向（ハウジング１０に対する電線カバー５０の組付け方向）において、ガイド部５３の前端縁はロック片５２の前端縁と同じ位置となっている。また、ガイド部５３の上面はロック片５２の上面と同じ高さとされている。さらに、この左右一対のガイド部５３は、ハウジング１０に電線カバー５０が組み付けられた状態において、ロックアーム１３の操作部１３Ａを左右両側から挟むように位置する。操作部１３Ａがロック解除操作の際に上下に変位する過程では、常に、ガイド部５３の内側面が操作部１３Ａの左右両外側面に対して僅かな隙間を空けた状態で対向するようになる。つまり、一対のガイド部５３は、ロック解除操作の際に、上下移動する操作部１３Ａを左右両側から挟むことによって操作部１３Ａの左右方向へのぶれを規制する。
【００２６】
次に、本実施形態の作用を説明する。
【００２７】
リテーナ４０を本係止した後、ハウジング１０の後端部には電線４６を覆うように後方から電線カバー５０が組み付けられる。組付けに際しては、まず、左右一対のリブ５７の前端部が型抜き空間１６の当て面１８の後端部に対して外面側から当接し、次いで、リブ５７と当て面１８との当接状態（面接触状態）が維持されたままで左右両ガイド部５３が壁部１４の内側の摺接面１５に対して面接触状態で当接し、次いで、ロック片５２の先端縁がロック部２４の誘導面２６に当接する。この後、更に電線カバー５０の組付けを進めると、誘導面２６のに乗りあがることによってロック片５２が外面側へ拡開するように弾性撓みを生じる。ロック片５２が弾性撓みしている間、左右両ガイド部５３が左右両壁部１４に対して内側から面接触状態で摺接することにより、電線カバー５０がハウジング１０に対して左右方向（ロック片５２の弾性撓み方向と略同方向）へ変位することが規制される。尚、左右両リブ５７はロック片５２が弾性撓みを生じる間、当て面１８から離間する。
【００２８】
さらに、電線カバー５０の組付けが進むと、ロック片５２が弾性撓みしている間に、棚部５５の左右両端部が壁部１４と延出部２３との間に嵌入し、棚部５５の上面と下面が、夫々、壁部１４の押さえ面２０と延出部２３の支承面２７に対して上下方向に当接する。これにより、電線カバー５０がハウジング１０に対して上下方向に変位することが規制される。尚、電線カバー５０の組付けが進む過程では、ハウジング１０の後端面から略水平後方へ導出されている電線４６が、位置決め溝５４に嵌合しつつ背面板５１に押されることによって次第に下向きに曲げられていく。
【００２９】
そして、電線カバー５０が正規位置に組み付けられると、ロック片５２の前端部がロック部２４を通過し終わるため、ロック片５２が内側へ弾性復帰し、ロック孔５６とロック部２４が嵌合してロック孔５６の前端縁がロック部２４の係止面２５に対して前方から係止する。これにより、電線カバー５０は、ハウジング１０に対して後方へ離脱することを規制されたロック状態となる。このロック状態では、電線カバー５０の背面板５１とハウジング１０の後端面との間で下向きに向きを変えられた電線４６が、電線カバー５０とハウジング１０との隙間から下方へ導出されている。また、電線カバー５０の突当面６０がハウジングのストッパ面２２に突き当たることにより、前止まり状態とされている。
【００３０】
また、ロック片５２が弾性復帰すると、リブ５７が型抜き空間１６内に嵌合し、左右両リブ５７の内側面が左右両当て面１８に対して外側から面接触状態で当接するとともに、リブ５７の上側の当接面５８と下側の当接面５８が、夫々、方抜き空間の上側の受け面１７と下側の受け面１７に対し、前後方向の所定長さに亘って面接触状態で当接する。この当接面５８と受け面１７との当接により、電線カバー５０がハウジング１０に対して上下方向へ変位、即ち上下方向へ平行移動したり、前傾又は後傾するように姿勢を変位させることが規制される。
【００３１】
また、左右両ガイド部５３の外側面が左右両壁部１４の内側の摺接面１５に対して面接触状態で当接しているため、電線カバー５０がハウジング１０に対して左右方向に変位すること、左右方向に首を振るように変位すること、及び左右方向へ傾くように変位することが規制される。しかも、ガイド部５３はリブ５７との間で壁部１４を左右に挟み付けているので、電線カバー５０の位置及び姿勢の安定度が高い。
【００３２】
上述のように本実施形態においては、ハウジング１０に、電線カバー５０の組付け方向と略同方向に延びるとともに、ロック部２４の形成されている外側面と略直角な受け面１７を形成し、電線カバー５０には、ハウジング１０への組付け方向と略同方向に延びるとともに、受け面１７に当接可能な当接面５８を形成し、電線カバー５０をハウジング１０に組み付けてロックした状態では、受け面１７と当接面５８とが面接触状態で当接するようにしたので、電線カバー５０が上下方向、即ちハウジング１０への組付け方向と直交する方向へ変位することを防止することができる。
【００３３】
また、電線カバー５０をハウジング１０に組み付けて、電線カバー５０の当接面５８がハウジング１０の受け面１７に当接する状態では、電線カバー５０のリブ５７がハウジング１０の型抜き空間１６内に嵌合するが、これは、型抜き空間１６が電線カバー５０のリブ５７を嵌合させるスペースとして兼用されていることを意味しており、これにより、コネクタの小型化を図ることが可能となっている。
【００３４】
また、電線カバー５０には、ハウジング１０に対する組付け方向と同方向に突出するガイド部５３を形成するとともに、ハウジング１０には、ロック片５２の弾性撓み方向と交差する摺接面１５を形成しており、電線カバー５０を組み付ける過程では、ガイド部５３が摺接面１５に摺接することにより、電線カバー５０がハウジング１０に対してロック片５２の弾性撓み方向と略同方向に変位することが規制されるようになっている。これにより、ロック片５２の弾性撓み動作が安定して行われ、電線カバー５０の組付け作業性が向上する。
【００３５】
また、電線カバー５０がハウジング１０に組み付けられた状態では、リブ５７とガイド部５３が壁部１４を挟むことにより、電線カバー５０のロック片５２の弾性撓み方向と略同方向への変位が確実に規制されるのであるが、電線カバー５０の変位を規制する手段として、電線カバー５０のガタ付きを規制する手段であるリブ５７と、電線カバー５０の組付け時のロック片５２の弾性撓み動作を安定化させる手段であるガイド部５３とを利用しているので、変位規制のための専用手段を設けたものに比べて、形状の簡素化と小型化を図ることができる。
また、ロックアーム１３の操作部１３Ａを下方へ押し操作してロック解除する際には、一対のガイド部５３が操作部１３Ａを左右から挟むことによって案内するので、操作部１３Ａは左右方向へぶれることなく所定の経路に沿って上下に真っ直ぐ変位することになる。したがって、ロック解除操作を安定して行うことができる。
【００３６】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００３７】
（１）上記実施形態では型抜き空間を利用して受け面を形成したが、本発明によれば、型抜き空間以外の位置に受け面を形成してもよい。
【００３８】
（２）上記実施形態ではロック部を突起状としたが、本発明によれば、ロック部を凹み状又は段差状としてもよい。
【００３９】
（３）上記実施形態ではガイド部を摺接面に摺接させたが、本発明によれば、ガイド部を設けない構成としてもよい。
【００４０】
（４）上記実施形態ではガイド部とリブによって壁部を挟むようにしたが、本発明によれば、ガイド部とリブとが共に内側の面又は共に外側の面に当接するようにしてもよい。
【００４１】
（５）上記実施形態では電線カバーの内部電線でを直角に曲げられたが、本発明は、電線が電線カバーの内部で曲げられないコネクタにも適用できる。
【図面の簡単な説明】
【００４２】
【図１】ハウジングの背面図
【図２】ハウジング側面図
【図３】ハウジングに対しリテーナを仮係止位置に組み付けた状態の側面図
【図４】ハウジングに対しリテーナを本係止位置に組み付けた状態の断面図
【図５】ハウジングに対しリテーナを本係止位置に組み付けた状態の側面図
【図６】ハウジングに電線カバーを組み付けた状態の断面図
【図７】ハウジングにリテーナを組み付けた状態の側面図
【図８】ハウジングにリテーナと電線カバーを組み付けた状態の側面図
【図９】図８のＡ−Ａ断面図
【図１０】電線カバーの平面図
【図１１】電線カバーの正面図
【図１２】電線カバーの背面図
【図１３】図１１のＢ−Ｂ断面図
【図１４】図１１のＣ−Ｃ断面図
【図１５】リテーナの正面図
【図１６】リテーナの断面図
【符号の説明】
【００４３】
１０…ハウジング
１３…ロックアーム
１３Ａ…操作部
１４…壁部
１５…摺接面
１６…型抜き空間
１７…受け面
１９…本係止突起（係止部）
２４…ロック部
４０…リテーナ
４５…端子金具
４６…電線
５０…電線カバー
５２…ロック片
５３…ガイド部
５７…リブ
５８…当接面
【図１】
2005347082.tif 000003
【図２】
2005347082.tif 000004
【図３】
2005347082.tif 000005
【図４】
2005347082.tif 000006
【図５】
2005347082.tif 000007
【図６】
2005347082.tif 000008
【図７】
2005347082.tif 000009
【図８】
2005347082.tif 000010
【図９】
2005347082.tif 000011
【図１０】
2005347082.tif 000012
【図１１】
2005347082.tif 000013
【図１２】
2005347082.tif 000014
【図１３】
2005347082.tif 000015
【図１４】
2005347082.tif 000016
【図１５】
2005347082.tif 000017
【図１６】
2005347082.tif 000018